(57)【要約】【課題】施工精度が向上し施工時間が短縮できる外装パネル用コーナー部下地金具を提供することを目的とする。  【解決手段】本発明の建築物のコーナー部下地金具１の構造は、開角度９０度の山形鋼からなる縦材２の長手方向の複数箇所に、それぞれ一対の横胴縁３が縦材２の長手方向と直角で開角度９０度になるように一体的に形成される構造である。前記横胴縁３は頂面４と一対の側面５とからなる断面コ字状で、この横胴縁３の長手方向の一端部６には、前記一対の側面５の自由端部５ａから突出する一対のフランジ７が頂面４と平行に設けられ、他端部８には、前記一端部６の一対のフランジ７と同一面内で横胴縁３の長手方向に突出する１組のフランジ９が設けられる。そして、前記一端部６のフランジ７を介して前記横胴縁３を前記縦材２に固着し、前記他端部８のフランジ９を介して前記コーナー部下地金具１が外壁本体３０のコーナー部に取付けられる。【選択図】  図１
2006152578.tif 000002
【特許請求の範囲】
【請求項１】
建築物の外壁本体のコーナー部に設けられる外装パネル用のコーナー部下地金具の構造であって、
前記コーナー部下地金具は開角度９０度の山形鋼からなる縦材の長手方向の複数箇所に、それぞれ一対の横胴縁が前記縦材の長手方向と直角で開角度９０度になるように一体的に形成され、
前記横胴縁は頂面と一対の側面とからなる断面コ字状で、この横胴縁の長手方向の一端部には、前記一対の側面の自由端部から突出する一対のフランジが頂面と平行に設けられ、
他端部には、前記一端部の一対のフランジと同一面内で横胴縁の長手方向に突出する１組のフランジが設けられ、
前記一端部のフランジを介して前記横胴縁が前記縦材に固着し、前記他端部のフランジを介して前記コーナー部下地金具が外壁本体のコーナー部に取付けられることを特徴とする外装パネル用のコーナー部下地金具の構造。
【請求項２】
請求項１記載の外装パネル用のコーナー部下地金具の構造であって、
前記横胴縁の他端部のフランジには前記コーナー部下地金具を外壁本体に固着する固着ネジ用の下穴が設けられるとともに、前記横胴縁の頂面に仮止めネジ用の下穴が設けられることを特徴とする外装パネル用のコーナー部下地金具の構造。
【発明の詳細な説明】
【技術分野】
【０００１】
本発明は、建築物の外壁本体のコーナー部に設けられる外装パネル用のコーナー部下地金具の構造に関し、特に建物本体の外壁がＡＬＣ壁の場合にコーナー部下地金具を精度を上げて短時間で安定して固着する技術に関する。
【背景技術】
【０００２】
従来、建築物の外壁本体のコーナー部に例えば金属サイディング等の外装パネルを取付ける場合の構成は、特許文献１の記載が知られている。
【０００３】
特許文献１によれば、図５に示すように、建築物の柱（外壁本体）５１のコーナー部にコーナー部下地金具としての縦胴縁５２及び横胴縁５３を取付け、出隅部の角度と同じ角度で折曲した出隅材５５を縦胴縁５２を跨ぐように取付けて釘５８を介し縦胴縁５２に固定される。
【０００４】
同様に、外装パネル５６も留め付け金具５７を介して横胴縁５３に固定される。
【特許文献１】特開平１１−３２４２６９号公報
【発明の開示】
【発明が解決しようとする課題】
【０００５】
しかしながら、上述の方法では、外壁本体５１がＡＬＣ材である場合にはＡＬＣ材が脆弱な材料であるため、釘を打込んだり、（ネジ使用の場合に）ネジを締めすぎると、ＡＬＣ材が破壊しやすく保持力が急激に低下して縦胴縁５２或いは横胴縁５３が脱落するという問題があり、特にコーナー部においては一層の注意が必要であった。
【０００６】
また、コーナー部において複数の横胴縁５３を外壁本体５１の上下方向に取付ける際には、各々の横胴縁５３の施工精度を一定に確保するのが困難であるとともに、長時間の施工作業が必要であった。
【０００７】
そこで、本発明は、建築物の外壁本体がＡＬＣ材の場合にも適用できて、コーナー部下地金具の施工精度が向上し、施工時間が短縮できる「外装パネル用コーナー部下地金具の構造」を提供することを目的とする。
【課題を解決するための手段】
【０００８】
請求項１の発明は、建築物の外壁本体のコーナー部に設けられる外装パネル用のコーナー部下地金具の構造であって、前記コーナー部下地金具は開角度９０度の山形鋼からなる縦材の長手方向の複数箇所に、それぞれ一対の横胴縁が前記縦材の長手方向と直角で開角度９０度になるように一体的に形成され、前記横胴縁は頂面と一対の側面とからなる断面コ字状で、この横胴縁の長手方向の一端部には、前記一対の側面の自由端部から突出する一対のフランジが頂面と平行に設けられ、他端部には、前記一端部の一対のフランジと同一面内で横胴縁の長手方向に突出する１組のフランジが設けられ、前記一端部のフランジを介して前記横胴縁が前記縦材に固着し、前記他端部のフランジを介して前記コーナー部下地金具が外壁本体のコーナー部に取付けられることを特徴としている。
【０００９】
この外装パネル用のコーナー部下地金具の構造であれば、縦材としての前記コーナー部下地金具である開角度９０度の山形鋼の長手方向の複数箇所に、それぞれ一対の横胴縁が山形鋼の長手方向と直角で開角度９０度になるように予め一体的に形成されるので、それぞれの横胴縁の取付け位置を施工現場で調整する必要がない。
【００１０】
また、前記他端部のフランジを介して前記コーナー部下地金具を外壁本体のコーナー部に取付けることができるので、コーナー部下地金具の固着位置を外壁本体の角から所定の距離離した位置に設けることができる。
【００１１】
請求項２の発明は、請求項１記載の外装パネル用のコーナー部下地金具の構造であって、前記横胴縁の他端部のフランジには前記コーナー部下地金具を外壁本体に固着する固着ネジ用の下穴が設けられるとともに、前記横胴縁の頂面に仮止めネジ用の下穴が設けられることを特徴としている。
【００１２】
この外装パネル用のコーナー部下地金具の構造であれば、前記横胴縁の頂面に仮止めネジ用の下穴が設けられるので、コーナー部下地金具の位置決めが容易にできる。
【発明の効果】
【００１３】
請求項１記載の発明によれば、前記コーナー部下地金具は、予め、縦材の所定の複数箇所にそれぞれ一対の横胴縁が一体的に形成されるので、横胴縁の取付け位置を施工現場で調整する必要がなくなり、コーナー部下地金具の施工精度が向上し、施工時間が短縮できる。
【００１４】
また、前記他端部のフランジを介して前記コーナー部下地金具を外壁本体のコーナー部に取付けることができるので、コーナー部下地金具の固着ネジの固着位置を外壁本体の角から所定の距離離れた位置に設けることができる。
【００１５】
そのため、建築物の外壁本体がＡＬＣ材の場合でも、ＡＬＣ材が破壊することがなくなる。
【００１６】
請求項２記載の発明によれば、この外装パネル用のコーナー部下地金具の構造であれば、前記横胴縁の頂面に仮止めネジ用の下穴が設けられるので、コーナー部下地金具の仮止めが容易にできる。
【００１７】
このとき、建築物の外壁本体がＡＬＣ材の場合でも、ＡＬＣ材が破壊することなく仮止決めできるので、コーナー部下地金具の施工精度が向上し施工時間を短縮できる。
【発明を実施するための最良の形態】
【００１８】
＜外装パネル用のコーナー部下地金具の構造の構成＞
以下に、本発明の実施形態を図１〜図３に基づいて説明する。
【００１９】
図１に示すように、本発明の建築物の外壁本体のコーナー部に設けられる外装パネル用のコーナー部下地金具１は、開角度９０度の山形鋼からなる縦材２の長手方向の複数箇所に、それぞれ一対の横胴縁３が縦材２の長手方向と直角で開角度９０度になるように一体的に形成される構造である。
【００２０】
前記横胴縁３は頂面４と一対の側面５とからなる断面コ字状で、この横胴縁３の長手方向の一端部６には、前記一対の側面５の自由端部５ａから突出する一対のフランジ７が頂面４と平行に設けられる。
【００２１】
さらに、他端部８には１組のフランジ９が設けられる。この１組のフランジ９は、前記一端部６の一対のフランジ７と同一面内で、横胴縁３の長手方向に突出して設けられる。
【００２２】
そして、前記一端部６のフランジ７を介して前記横胴縁３を前記縦材２に固着し、前記他端部８のフランジ９を介して前記コーナー部下地金具１が図示しない外壁本体のコーナー部に取付けられる。
【００２３】
より詳しくは、図２、図３に示すように、例えば、山形鋼の縦材２は片幅Ｓ＝３０ｍｍで、全長は約２０００ｍｍである。横胴縁３は、全長Ｌ＝２００ｍｍ、幅Ｍ＝６０ｍｍ、高さＨ＝２０ｍｍで形成され、一端部６の一対のフランジ７は、幅Ｌ１＝２８ｍｍ、突出長さＭ１＝１５ｍｍ、他端部８の１組のフランジ９が幅Ｍ＝６０ｍｍ、突出長さＬ２＝２０ｍｍで設けられる。
【００２４】
ここで、側面５は一端部６側のスリット１１（スリット幅Ｔ＝３ｍｍ）により第１の側面５ｂと第２の側面５ｃに分割され、第２の側面５ｃの自由端部５ａに一対のフランジ７が突設される。さらに、他端部８の頂面端部１２と側面５ｂとの間にもスリット１３（スリット幅Ｔ＝３ｍｍ）が設けられ、頂面端部１２に突設される第３の側面としての端面５ｄの端部１４に１組のフランジ９が突設される。端面５ｄは幅Ｍ＝６０ｍｍ，高さＨ＝２０ｍｍである。
【００２５】
このように、横胴縁３はプレス、曲げ加工されて、それぞれ一対のフランジ７と１組のフランジ９とが同一面内になるように形成される。
【００２６】
そして、コーナー部下地金具１は、横胴縁３が一端部６の一対のフランジ７に形成される下穴２０を介してビス等のネジ２１により縦材２に取付けられてのち、他端部８の１組のフランジ９に形成される下穴２２を介してビス等の固着ネジ２３で建築物の外壁本体に固着される。下穴２２は横胴縁３の長手方向に微調整ができるように長穴形状に形成される。
【００２７】
さらに、横胴縁３の頂面４の略中央部にはコーナー部下地金具１を建築物の外壁本体に仮止めするために、ビス等の仮止めネジ２５用の下穴２４が形成される。
【００２８】
なお、一対の横胴縁３は縦材２の長手方向にピッチＰ＝４５５ｍｍで取付けられる。
【００２９】
＜外装パネル用のコーナー部下地金具の作用＞
図４ (図４の紙面表裏方向が建築物の上下方向である)に示すように、縦材２に横胴縁３を一体的に備えたコーナー部下地金具１を外壁本体３０のコーナー部３１に設けるために、まず、コーナー部３１の角部３２に、コーナー部下地金具１の縦材２である山形鋼が両面内接するように位置調節する。このとき横胴縁３の建築物における上下方向が適切な位置になるように、縦材２を上下方向に位置調節する。
【００３０】
このようにして、コーナー部下地金具１の位置調整が完了すると、下穴２４を介して横胴縁３を外壁本体３０にビス等の仮止めネジ２５により仮止め固定する。
【００３１】
次に、コーナー部下地金具１を外壁本体３０に本固定するために、横胴縁３の下穴２２に対応する外壁本体３０側の位置に、下穴２６をドリル加工する。
【００３２】
そして、外壁本体３０のドリル加工した下穴２６に接着剤を注入ガンで注入し、固定ネジ（ＡＬＣ専用ビス）２３を下穴２６に挿入するとともに、固定ネジ２３の先端部２３ａを一定トルクで外壁本体３０に螺合する。
【００３３】
接着剤が硬化した時点で固定ネジ２３は外壁本体３０に本固定されて、コーナー部下地金具１は外壁本体３０のコーナー部３１に固着完了する。
【００３４】
ここで、直径６ｍｍのＡＬＣ専用ビス２３に対して、下穴２６の直径略８ｍｍ、深さは外壁本体３０の厚みの略８０％、接着剤の注入量は下穴２６の容量の略８０％を目安とするのが好ましい。
【００３５】
このように、コーナー部下地金具１が一体的に形成されているので縦材２である山形鋼を外壁本体３０の角部３２に両面内接させるだけで、外壁本体３０の角部３２のコーナー中心線（二等分線）３８に対して振り分けの芯出しが容易にできる。そして、それぞれの横胴縁３の位置合わせも正確かつ自動的にできる。
【００３６】
続いて、一対の横胴縁３に被せるとともに縦材２に沿うように建築物における上下方向に出隅用役物ベース３４を取付け、この出隅用役物ベース３４の基部３４に被さるように外装パネル３７が図示しないビス等の取付け具で横胴縁３に固着される。
【００３７】
そして、出隅用役物カバー３６を出隅用役物ベース３４にワンタッチで嵌入して出隅部の作業が完了するが、このとき、出隅用役物ベース３４の中心点３５を外壁本体３０の角部３２のコーナー中心線（二等分線）３８に対して容易に振り分けができる。
【００３８】
そのため、外装パネル３７、出隅用役物ベース３４、出隅用役物カバー３６それぞれが精度良く容易に上下方向に亘って施工できる。なお、出隅用役物カバー３６、出隅用役物ベース３４は市販の製品が用いられるのでその詳細説明は省略する。
【００３９】
上述のようにこのコーナー部下地金具１によれば、コーナー部下地金具１の固定ネジ２３の位置を外壁本体３０の角から所定の距離離した位置に設けることができるので、建築物の外壁本体３０がＡＬＣ材の場合でも、固定ネジ２３によるＡＬＣ材の破壊を防止することができる。
【００４０】
また、仮固定してから本固定するので一人でも作業が可能になる。特に本固定で作業者一人が両手を使って作業できるので施工精度が大幅に向上する。
【００４１】
そのため、位置合わせが容易になるとともに施工精度が大幅に向上し、施工時間を大幅に短縮することができる（従来例に比べて略１／４に短縮できる。）。
【００４２】
コーナー部下地金具１の精度向上に連動して出隅部の役物に関しても施工性及び品質が向上する。
【００４３】
以上、本発明の実施形態を図面に基づいて説明したが、上記の実施例はいずれも本発明の一例を示したものであり、本発明はこれらに限定されるべきでないということはいうまでもない。
【００４４】
コーナー部下地金具１は、一対の横胴縁が縦材２に開角度９０度になるように一体的に形成されるが、建築物の外壁本体３０が９０度でない場合にはその角度に対応する開角度を設定すればよく、この場合、縦材２は既成材は利用できないので別作される。
【図面の簡単な説明】
【００４５】
【図１】本発明の実施形態における、建築物の外壁本体のコーナー部に設けられる外装パネル用のコーナー部下地金具の構造を示す斜視図である。
【図２】本発明の実施形態における、図１のＡ矢視図である。
【図３】本発明の実施形態における、図２のＢ−Ｂ矢視図である。
【図４】本発明の実施形態における、外装パネル用のコーナー部下地金具と、外装パネル３７と、出隅用役物ベース３４と、出隅用役物カバー３６との取付け状態を示す断面図である。
【図５】従来の、建築物の外壁本体に設けられる外装パネル用のコーナー部下地金具（胴縁）の取付けを示す断面図である。
【符号の説明】
【００４６】
１  コーナー部下地金具
２  縦材
３  横胴縁
４  頂面
５  側面
５ａ  自由端部
６  一端部
７  フランジ
８  他端部
９  フランジ
【図１】
2006152578.tif 000003
【図２】
2006152578.tif 000004
【図３】
2006152578.tif 000005
【図４】
2006152578.tif 000006
【図５】
2006152578.tif 000007